(57)【要約】【課題】この発明はマットレスに対してずれ動き難いばかりか、長期にわたって性能が維持できるベッドパッドを提供することにある。【解決手段】マットレスの上面に設けられるベッドパッドであって、ベッドパッドの少なくともマットレスに接触する面の布地には、マットレスに対するベッドパッドの摩擦抵抗を増大させるポリウレタン繊維１５が用いられている。【選択図】      図１
2018183253.tif 000002
【特許請求の範囲】
【請求項１】
マットレスの上面に設けられるベッドパッドであって、
前記ベッドパッドの少なくとも前記マットレスに接触する面の布地には、前記マットレスに対する前記ベッドパッドの摩擦抵抗を増大させる防滑繊維が用いられていることを特徴とするベッドパッド。
【請求項２】
前記布地は、前記防滑繊維と、この防滑繊維に比べて摩擦抵抗の小さな他の繊維とを所定の割合で編んで形成されていることを特徴とする請求項１記載のベッドパッド。
【請求項３】
前記防滑繊維はポリウレタン繊維であることを特徴とする請求項１乃至請求項２のいずれかに記載のベッドパッド。
【請求項４】
前記ベッドパッドを覆うシーツを有し、
前記シーツは、前記ベッドパッドの前記マットレスに接触する面と反対側の面の全体と、前記ベッドパッドの前記マットレスに接触する面の周辺部を覆う扁平袋状であることを特徴とする請求項１記載のベッドパッド。
【請求項５】
前記ベッドパッドはシート状の芯材の表裏両面をそれぞれ一対の布地で覆い、これら三者をキルティングによって一体化するとともに、これら三者の周縁部をテープエッジで縫合して形成されていることを特徴とする請求項１記載のベッドパッド。
【発明の詳細な説明】
【技術分野】
【０００１】
この発明はベッド装置のマットレスの上面に敷いて用いられるベッドパッドに関する。
【背景技術】
【０００２】
一般に、ベッド装置はベッド本体を有し、このベッド本体にはマットレスが載置されている。前記マットレスの上面には、このマットレス上に仰臥する利用者に与える感触、保温性、吸湿、発散、さらにはマットレスの上面が早期に損傷するのを防止するなどの目的のためにベッドパッドが載置される。そして、このベッドパッドはシーツによって覆われる。
【０００３】
前記マットレスの上面に載置されたベッドパッドは、前記シーツ上に仰臥した利用者が寝返りを打つなどして動くことにで、前記マットレスや前記シーツに対して徐々にずれ動いてずれ量が多くなり、その結果、前記ベッドパッドが捲れてしまうということがある。
【０００４】
そこで、前記ベッドパッドの上下両面にすべり止め機能を持たせ、このベッドパッドが前記マットレス上でずれ動き難いようにするということが行われている。
【０００５】
従来、前記ベッドパッドが前記マットレス上でずれ動き難いようにするためには、すべり止め機能を有する、たとえばアクリル系樹脂と生ゴムとの混合物を発泡させた発泡樹脂を、十字状或いは円形状にして前記ベッドパッドの上下面に所定間隔で付着或いは接着により溶着するなどして点在させることで、多数のずれ止め部を形成するということが行われていた。
【先行技術文献】
【特許文献】
【０００６】
【特許文献１】特開２００４−５７３７７号公報
【発明の概要】
【発明が解決しようとする課題】
【０００７】
しかしながら、前記ベッドパッドの上下面に多数のずれ止め部を点在させる構造において、前記ベッドパッドとの接触抵抗を大きくする場合には、前記ずれ止め部を大きくし足り、数を多くするなどして摩擦抵抗を増大させなければならない。ずれ止め部を大きくしたり、数を多くすると、その感触が利用者に伝わり易くなるから、寝心地の低下を招くということがある。
【０００８】
しかも、発泡樹脂を前記ベッドパッドに付着させたり、接着により溶着するなどして設けた前記ずれ止め部材は、前記ベッドパッドと前記マットレスの上面とに生じる摩擦抵抗によってすり減ったり、剥離するなどして早期にずれ止め効果が低減し易いということがある。
【０００９】
この発明は、利用者に与える感触を低下させたり、マットレスに対して早期にずれ止め機能が低下するなどのことのないずれ止め機能を備えたベッドパッドを提供することにある。
【課題を解決するための手段】
【００１０】
この発明は、マットレスの上面に設けられるベッドパッドであって、
前記ベッドパッドの少なくとも前記マットレスに接触する面の布地には、前記マットレスに対する前記ベッドパッドの摩擦抵抗を増大させる防滑繊維が用いられていることを特徴とするベッドパッドにある。
【発明の効果】
【００１１】
この発明によれば、使用中に利用者が寝返りを打つなどしての前記ベッドパッドが前記マットレスに対してずれ動き難いばかりか、前記マットレスに対する摩擦抵抗を増大させるために、前記ベッドパッドの布地に防滑繊維を用いているため、利用者に違和感を与えることがないばかりか、前記マットレスとの接触抵抗によって早期に損傷するということもない。
【図面の簡単な説明】
【００１２】
【図１】この発明の一実施の形態を示すベッド装置の斜視図。
【図２】マットレス上に敷設されたベッドパッドと、このベッドパッドを被覆するカバーを示す分解斜視図。
【図３】カバーが装着されたベッドパッドを下面側から見た斜視図。
【図４】ベッドパッドの一部を拡大した断面図。
【図５】ベッドパッドを構成する布地の一部の繊維を示す拡大図。
【発明を実施するための形態】
【００１３】
以下、この発明の一実施の形態を図面を参照しながら説明する。  
図１はベッド装置１を示し、このベッド装置１はベッド本体２を備えている。このベッド本体２はマットレス３が載置される基部４を有し、この基部４の長手方向の一端にはヘッドボード５が立設されている。
【００１４】
図２と図３に示すように、前記マットレス３の上面にはシーツ６によって覆われたベッドパッド７が敷設されている。シーツ６によって覆われたベッドパッド７をベッドパッド体１０とする。
【００１５】
このベッドパッド７は図４に示すように綿などのクッション材によってシート状に形成された芯材８の上面と下面をそれぞれ布地９によって被覆し、これら芯材８と一対の布地９の三者をキルティングライン１１によって一体的に縫製するとともに、周縁部を図２に示すようにテープエッジ１２によって縫合して平面形状が前記マットレス３に対応する矩形状に形成されている。
【００１６】
前記ベッドパッド７を構成する一対の布地９には前記マットレス３に対する摩擦抵抗を増大させるために防滑繊維が用いられている。図５は前記布地９の一部の拡大図であって、前記布地９は前記防滑繊維として摩擦抵抗の大きなポリウレタン繊維１５が用いられている。
【００１７】
つまり、前記布地９は、前記ポリウレタン繊維１５と、比較的強度が高いポリエステル繊維１６とを、前記ポリウレタン繊維１５が前記ポリエステル繊維１６よりも前記布地９に占める面積が大きくなるよう編んで構成されている。
【００１８】
たとえば、前記ポリウレタン繊維１５の屈曲度合を前記ポリエステル繊維１６の屈曲度合よりも大きくし、前記布地９の表面積に占める前記ポリエステル繊維１６の面積を大きくすることで、前記布地９の摩擦抵抗を増大させている。
【００１９】
前記ポリウレタン繊維１５と前記ポリエステル繊維１６によって前記布地９を編む場合、その布地９に伸縮性がほとんどない状態と、伸縮性を有する状態との編み方があるが、この実施の形態では伸縮性がほとんどない状態で編んで前記布地９としている。
【００２０】
なお、前記マットレス３の上面に摩擦抵抗の小さな布地が使用される場合、前記ベッドパッド７の布地９の前記ポリエステル繊維１６の割合を増大させれば、前記ベッドパッド７が前記マットレス３に対してすべり難いようにできる。
【００２１】
この実施の形態では、前記ポリウレタン繊維１５が３９％、前記ポリエステル繊維１６が６１％の割合（この実施の形態では重量比）で前記布地９が編まれている。
【００２２】
前記布地９を用いて構成された前記ベッドパッド７には前記シーツ６が被覆される。このシーツ６は、図２と図３に示すように前記ベッドパッド７の上面は全面を覆い、下面は周辺部だけを覆う保持部６ａを有する扁平な袋状に形成されている。
【００２３】
つまり、前記シーツ６は、従来のベッド用のシーツのように前記マットレス３の外周面を覆い、下端部を前記マットレス３の下面側に折り込むボックス形状のものとは構造が相違している。
【００２４】
それによって、前記シーツ６が装着された前記ベッドパッド７を前記マットレス３の上面に敷設すると、前記ベッドパッド７は、その下面の前記保持部６ａによって覆われた周辺部を除く部分が前記マットレス３の上面に接触することになる。
【００２５】
このように構成された前記ベッドパッド７によれば、前記マットレス３に対して滑り難くするために、前記ベッドパッド７を構成する布地９に防滑繊維であるポリウレタン繊維１５を用いるようにした。
【００２６】
そのため、前記ベッドパッド７に発泡樹脂を付着させたり、接着により溶着するなどしてずれ止め部とした場合のように、利用者に異物感を与えることがないから、寝心地の低下を招くことなく利用することができる。
【００２７】
前記布地９は前記ポリウレタン繊維１５を用いて編んで防滑性能を高めている。そのため、長期にわたって使用することで、前記ベッドパッド７が前記マットレス３に擦られても、前記ポリウレタン繊維１５は摩耗し難いから、滑り止め機能が低下するということがほとんどない。
【００２８】
つまり、従来のように発泡樹脂を前記布地９に付着させてずれ止め部とした場合のように、早期に摩耗したり、剥離するなどのことが生じ難いため、前記ベッドパッド７の滑り止め機能を長期にわたって維持することができる。
【００２９】
前記ベッドパッド７を被覆した前記シーツ６は、前記ベッドパッド７の上面の全体を覆うものの、下面は前記保持部６ａによって周辺部だけを覆う扁平状の構造となっている。
【００３０】
そのため、前記シーツ６を、前記マットレス３の外周面を覆う大きさのボックス形状にした場合に比べて小さくできるから、使用時に前記シーツ６に皺が生じ難いばかりか、経済的である。
【００３１】
前記ベッドパッド７の下面の周辺部は、前記シーツ６の保持部６ａによって前記マットレス３との非接触部分となる。そのため、前記ベッドパッド７の下面の周辺部は前記マットレス３の上面に直接接触することがないから、前記マットレス３に対して滑り易い状態が維持される。
【００３２】
それによって、前記ベッドパッド７を前記マットレス３上に敷設する際、前記ベッドパッド７の周辺部の一部と、前記マットレス３の周辺部の一部との位置合わせを比較的容易に行うことができる。
【００３３】
つまり、前記ベッドパッド７を前記マットレス３に対して容易に位置決めできるから、ベッドメーキングも容易に行うことができる。
【００３４】
しかも、ベッドメーキングに際しては、前記シーツ６が装着された前記ベッドパッド７を前記マットレス３の上面に敷設するだけである。そのため、ボックス型のシーツを用いた従来のように、そのシーツの周辺部を、前記マットレス３を持ち上げて下面に差し込むということをせずに済むから、ベッドメーキングを容易に行うことができるということもある。
【００３５】
病院やホテルなどではベッド装置１の設置台数が多い。そのため、上述したようにベッドメーキング時に、前記ベッドパッド７を前記マットレス３の上面に置くだけであれば、ベッドメーキング作業の能率を大幅に向上させることができる。
【００３６】
また、従来はベッドパッドの四隅部にゴム紐を設け、ベッドメーキング時にはマットレスを持ち上げながら、前記ゴム紐をマットレスの四隅部に掛けて前記ベッドパッドをマットレス上に設置するということが行われていた。
【００３７】
しかしながら、本願では前記シーツ６が装着された前記ベッドパッド７を、上述したように、前記マットレス３の上面に置くだけであるから、そのことによってもベッドメーキング作業の能率を大幅に向上させることができる。
【００３８】
また、ベッド装置１はその基部４の一側或いは二側を室内の壁に沿わせて設置されることがある。そのような場合であっても、ベッドメーキングに際し、前記シーツ６が装着された前記ベッドパッド７を前記マットレス３の上面に置くだけでよいから、ベッドメーキング作業を容易かつ能率よく行うことができる。
【００３９】
上述した一実施の形態ではベッドパッド７を構成する上下２枚の布地９に防滑繊維としてのポリウレタン繊維１５を織り込むようにしたが、前記ベッドパッド７をマットレス３の上面に敷いたときに、このマットレス３の上面に接触する前記ベッドパッド７の下面となる一方の布地９だけに前記ポリウレタン繊維１５を織り込むようにしてもよい。
【００４０】
前記ベッドパッド７の布地９を編むために用いられる前記ポリウレタン繊維１５と前記ポリエステル繊維１６の割合は重量比に限定されるものではなく、たとえばマットレス３の上面の平滑度などに応じて必要とされる摩擦抵抗が得られるよう、布地９に占める前記ポリウレタン繊維１５と前記ポリエステル繊維１６の面積比で設定するようにしてもよい。
【００４１】
さらに、防滑繊維としてはポリウレタン繊維以外の化学繊維であってもよく、また防滑繊維とで布地を構成する繊維としては前記ポリエステル繊維以外の化学繊維や天然繊維などであっても差し支えない。
【符号の説明】
【００４２】
１…ベッド装置、３…マットレス、６…シーツ、７…ベッドパッド、９…布地、１５…ポリウレタン繊維（防滑繊維）、１６…ポリエステル繊維。
【図１】
2018183253.tif 000003
【図２】
2018183253.tif 000004
【図３】
2018183253.tif 000005
【図４】
2018183253.tif 000006
【図５】
2018183253.tif 000007